(57)【要約】【課題】ライトタッチスイッチが予期しない時にオン状態となった原因がライトタッチスイッチの故障によるものと判定できる制御装置を提供すること。【解決手段】操作部に設けられたライトタッチスイッチの入力により機器を制御する制御部を備えた制御装置において、制御部はライトタッチスイッチのオン時間を計測する計測手段と、計測手段が計測したオン時間の中で所定値未満のオン時間のみをカウントするカウント手段と、カウント手段のカウント数によりエラーを報知し機器を停止させる運転停止手段とを有し、一定時間内にカウント手段のカウント数が所定値となったとき、ライトタッチスイッチの故障と判定して運転停止手段がエラーを報知し機器を停止させる制御装置。【選択図】図２
2011014372.tif 000002
【特許請求の範囲】
【請求項１】
操作部に設けられたライトタッチスイッチの入力により機器を制御する制御部を備えた制御装置において、前記制御部はライトタッチスイッチのオン時間を計測する計測手段と、前記計測手段が計測したオン時間の中で所定値未満のオン時間のみをカウントするカウント手段と、前記カウント手段のカウント数によりエラーを報知し機器を停止させる運転停止手段とを有し、一定時間内に前記カウント手段のカウント数が所定値となったとき、ライトタッチスイッチの故障と判定して前記運転停止手段がエラーを報知し機器を停止させることを特徴とする制御装置。
【請求項２】
前記カウント手段がカウントするオン時間は、３０ｍｓ未満であることを特徴とする請求項１記載の制御装置。
【請求項３】
前記カウント手段のカウント数を含むライトタッチスイッチの全てのオン状態をカウントするオン状態カウント手段を有し、一定時間内に前記オン状態カウント手段のカウント数が所定値となったとき、ライトタッチスイッチの故障と判定して前記運転停止手段がエラーを報知し機器を停止させることを特徴とする請求項１記載の制御装置。
【発明の詳細な説明】
【技術分野】
【０００１】
本発明は、自動復帰式のライトタッチスイッチを備えた機器において、確実にライトタッチスイッチの故障を判定する制御装置に関するものである。
【背景技術】
【０００２】
従来の機器では、機器の適所に操作部が設けられ、この操作部には手で軽く押すだけで入力操作ができる自動復帰式のライトタッチスイッチを設けた構成が知られている。
【０００３】
ところで、機器を日常的に使用しているとき、使用者がライトタッチスイッチをオン状態にする場合（人的操作）以外に、操作部に物品が誤って置かれたり落下する等によりライトタッチスイッチがオン状態となる場合（外的操作）がある。特に、運転スイッチにライトタッチスイッチを採用した場合、無人の部屋で前述の外的操作によりライトタッチスイッチがオン状態となり機器が運転を開始すると予想できない状況になってしまうという問題があった。
【０００４】
このような問題の解決策として、例えば燃焼器具においてライトタッチスイッチがオンしてから一定時間後にライトタッチスイッチがオン状態になっているか否かを確認判定し、まだライトタッチスイッチがオン状態であるとマイコンが判断すると、エラーの発生と判断されガスバーナの燃焼の開始または続行を停止するものが提案されている。（特許文献１）
【先行技術文献】
【特許文献】
【０００５】
【特許文献１】特許第２５６３２８９号公報
【発明の概要】
【発明が解決しようとする課題】
【０００６】
しかしながら、特許文献１のような燃焼器具では、人的操作や操作部に物品が置かれたり落下する等の外的操作によりライトタッチスイッチがオン状態となったのか、またはライトタッチスイッチ自体が絶縁不良等の故障によりオン状態となったのか区別することができなかった。さらにライトタッチスイッチの絶縁不良の場合、オン状態を継続しないでオン・オフを繰り返す等の不安定な状態となるため、特許文献１の解決策では完全に危険な状態を回避することは難しかった。
【０００７】
本発明は、上記課題を解決するためのもので、ライトタッチスイッチが予期しない時にオン状態となった原因がライトタッチスイッチの故障によるものと判定できる制御装置を提供することを目的とする。
【課題を解決するための手段】
【０００８】
本発明は、操作部に設けられたライトタッチスイッチの入力により機器を制御する制御部を備えた制御装置において、前記制御部はライトタッチスイッチのオン時間を計測する計測手段と、前記計測手段が計測したオン時間の中で所定値未満のオン時間のみをカウントするカウント手段と、前記カウント手段のカウント数によりエラーを報知し機器を停止させる運転停止手段とを有し、一定時間内に前記カウント手段のカウント数が所定値となったとき、ライトタッチスイッチの故障と判定して前記運転停止手段がエラーを報知し機器を停止させることを特徴とする制御装置である。
【０００９】
また、前記カウント手段がカウントするオン時間は、３０ｍｓ未満であることを特徴とする請求項１記載の制御装置である。
【００１０】
また、前記カウント手段のカウント数を含むライトタッチスイッチの全てのオン状態をカウントするオン状態カウント手段を有し、一定時間内に前記オン状態カウント手段のカウント数が所定値となったとき、ライトタッチスイッチの故障と判定して前記運転停止手段がエラーを報知し機器を停止させることを特徴とする請求項１記載の制御装置である。
【発明の効果】
【００１１】
上述のように構成することにより、ライトタッチスイッチが予期しないときにオン状態となった原因がライトタッチスイッチの故障によるものであると確実に判定できるため、ライトタッチスイッチの故障による不具合を防止でき機器の安全性を向上できる。
【図面の簡単な説明】
【００１２】
【図１】本発明の実施例の燃焼装置に関する内部構成図である。
【図２】本発明の実施例の制御装置に関する構成図である。
【発明を実施するための形態】
【００１３】
好適と考える本発明の実施形態を、本発明の作用を示して簡単に説明する。
【００１４】
本発明は、操作部に設けられたライトタッチスイッチの入力により機器を制御する制御装置であって、一定時間内にライトタッチスイッチのオン状態のカウント数が所定値となったときライトタッチスイッチの故障と判定してエラーを報知し機器を停止させるものである。
【００１５】
具体的には、計測手段が計測したライトタッチスイッチのオン時間の中で３０ｍｓ未満のオン状態のみをカウント手段がカウントし、一定時間内にこのカウント数が所定値となったとき、ライトタッチスイッチの故障と判定して運転停止手段がエラーを報知し機器を停止させる。
【００１６】
つまり、３０ｍｓ未満のオン時間は、使用者がライトタッチスイッチをオン状態とする人的操作や操作部に物品が誤って置かれたり落下する等によりオン状態となる外的操作ではほとんど発生しない短いオン時間であり、この短いオン時間が一定時間内に繰り返される状況はライトタッチスイッチが絶縁不良等により不安定となりオン状態となっていると判定する。
【００１７】
また、カウント手段のカウント数を含むライトタッチスイッチの全てのオン状態をオン状態カウント手段がカウントし、一定時間内にこのカウント数が所定値となったとき、ライトタッチスイッチの故障と判定して運転停止手段がエラーを報知し機器を停止させる。
【００１８】
つまり、一定時間内に３０ｍｓ未満のオン時間を含むライトタッチスイッチのオン状態が繰り返される状況は、ライトタッチスイッチが絶縁不良等で不安定となりオン状態を繰り返しているのか、または人的操作や外的操作でオン状態となっているのか区別できないため、一定時間内で全てのオン状態のカウント数を把握し、一定時間内では人的操作や外的操作によるオン状態は繰り返し発生しないと考え、このオン状態を繰り返すのはライトタッチスイッチの絶縁不良等により不安定となりオン状態となっていると判定する。
【００１９】
したがって、使用者がライトタッチスイッチをオン状態にする人的操作や操作部に物品が誤って置かれたり落下する等によりオン状態となる外的操作と、ライトタッチスイッチの絶縁不良等によりオン状態となることを区別してライトタッチスイッチの故障を判定できるので、ライトタッチスイッチの故障による不具合を防止でき機器の安全性を向上できるのである。
【実施例１】
【００２０】
以下、図面に基づいて本発明の実施例について詳細な説明をする。尚、実施例は本発明の制御装置を燃焼装置に適用した場合について説明する
【００２１】
図１は燃焼装置の内部構成図であって、本体１に着脱自在に設けられた液体燃料を供給する給油タンク２、給油タンク２から供給される液体燃料を所定量貯蔵する油受皿３、油受皿３内に貯蔵された液体燃料を汲み上げる電磁ポンプ４、電磁ポンプ４が汲み上げた液体燃料を加熱気化する気化器５、気化器５で気化された燃料ガスと一次空気とを混合してこの混合ガスを燃焼するバーナ６が備えられている。
【００２２】
また、本体１の正面には燃焼装置の動作を指示するとともに状態を表示する操作部７が備えられ、この操作部７には少なくとも運転スイッチ８ａ、温度設定用の昇温スイッチ８ｂ及び降温スイッチ８ｃが設けられ、これらのスイッチは自動復帰式のライトタッチスイッチ８である。さらに操作部７には燃焼装置の状態を表示するために表示部９が設けられ、燃焼装置に異常が発生して停止した場合にこの表示部９にエラー番号等を表示するようになっている。
【００２３】
図２は本発明の制御装置に関する構成図であって、１０は燃焼装置を制御する制御部１０である。この制御部１０には運転スイッチ８ａのオン時間を計測する計測手段１１、計測手段１１が計測したオン時間の中で３０ｍｓ未満のオン時間のみカウントするカウント手段１２、さらにカウント手段１２のカウント数を含む運転スイッチ８ａの全てのオン状態をカウントするオン状態カウント手段１３、カウント手段１２又はオン状態カウント手段１３のカウント数が所定値になったときエラーを表示部９に表示し燃焼装置の運転を停止させる運転停止手段１４を有している。
【００２４】
次に、前述した構成からなる本実施例に係る燃焼装置の動作について説明する。
【００２５】
まず、運転スイッチ８ａが押されると、その信号が制御部１０に入力されることにより気化器５を予熱し、予熱が完了すると同時に油受皿３に貯蔵されている液体燃料は電磁ポンプ４に汲み上げられ気化器５に送油される。すると、気化器５では液体燃料が加熱気化されて気化ガスとなって気化器５の噴出口からバーナ６の混合管に一次空気とともに供給され、この混合ガスは図示しない点火装置により点火されて燃焼を開始する。
【００２６】
このように燃焼が開始されると燃焼状態は図示しない炎検知装置により監視され、さらに燃焼量は室内温度を昇温、降温の各スイッチ（８ｂ、８ｃ）で設定された設定温度とするように電磁ポンプ４を制御して自動的に変化する。そして、燃焼中に運転スイッチ８ａが再び押されると、これと同時に気化器５の噴出口が閉塞し電磁ポンプ４が停止することにより燃焼が停止する。
【００２７】
次に、燃焼装置の運転停止中に使用者が運転スイッチ８ａを押していないにも関わらず運転スイッチ８ａがオン状態となった場合について説明する。
【００２８】
使用者が運転スイッチ８ａを押してオン状態となる場合（人的操作）以外に、操作部７に物品が誤って置かれたり落下する等により運転スイッチ８ａが押されてオン状態となる外的操作と、運転スイッチ８ａが絶縁不良等により不安定となりオン状態となる場合が考えられる。特に、運転スイッチ８ａが絶縁不良を起こしている場合、人的操作や外的操作では発生しない短いオン時間でオン・オフ状態を繰り返すことがある。
【００２９】
そこで、本発明の実施例では一定時間内（５分）で人的操作や外的操作ではほとんど発生しない短いオン時間（３０ｍｓ未満）のみをカウント手段１２でカウントし、このカウント数が所定値（１０回）になったら運転スイッチ８ａの故障と判定して運転停止手段１４が表示部９にエラーを表示し燃焼装置を停止させるようにしている。尚、前述の人的操作ではほとんど発生しないオン時間（３０ｍｓ未満）は本出願人が実験により得た数値である。
【００３０】
つまり、３０ｍｓ未満のオン時間は、使用者が運転スイッチ８ａをオン状態とする人的操作や操作部に物品が誤って置かれたり落下する等によりオン状態となる外的操作ではほとんど発生しない短いオン時間であり、この短いオン時間が一定時間内に繰り返される状況は運転スイッチ８ａが絶縁不良等により不安定となりオン状態となっていると判定するのである。
【００３１】
また、運転スイッチ８ａの全てのオン状態をオン状態カウント手段１３がカウントし、一定時間（５分）内にこのカウント数が所定値（５０回）となったとき、運転スイッチ８ａの故障と判定して運転停止手段１４が表示部９にエラーを表示し機器を停止させるようにしている。
【００３２】
つまり、一定時間内に３０ｍｓ未満のオン時間を含む運転スイッチ８ａのオン状態が繰り返される状況は、運転スイッチ８ａが絶縁不良等で不安定となりオン状態を繰り返しているのか、または人的操作や外的操作でオン状態となっているのか区別できないため、一定時間内で全てのオン状態のカウント数をオン状態カウント手段１３がカウントし、一定時間内では人的操作や外的操作によるオン状態は繰り返し発生しないと考え、オン状態が繰り返されるのは運転スイッチ８ａの絶縁不良等により不安定となりオン状態となっていると判定するのである。
【００３３】
このように、使用者が運転スイッチ８ａをオン状態にする人的操作や操作部に物品が誤って置かれたり落下する等によりオン状態となる外的操作と、運転スイッチ８ａの絶縁不良等によりオン状態となることを区別して、運転スイッチ８ａの故障を判定できるので、運転スイッチ８ａの故障による不具合を防止でき燃焼装置の安全性を向上できるのである。
【００３４】
尚、本実施例ではライトタッチスイッチ８を運転スイッチ８ａに採用した場合について説明したが、他のスイッチに適用できることはいうまでもない。さらに一定時間及びカウント数の所定値については、本実施例に限定されるものではなく適宜設定されるものである。  
【符号の説明】
【００３５】
７    操作部
８    ライトタッチスイッチ
１０  制御部
１１  計測手段
１２  カウント手段
１３  オン状態カウント手段
１４  運転停止手段
【図１】
2011014372.tif 000003
【図２】
2011014372.tif 000004